(57)【要約】【課題】画像読取装置において、従来とは異なる方法で放熱を行う。【解決手段】画像読取部１０は、筐体１１と、ランプ１３２と、ランプ電源１３３と、撮像部１６と、原稿搬送部１７とを備える。原稿搬送部１７により原稿が搬送されるとき、ランプ１３２は点Ｓ2が示す位置に光を照射し、撮像部１６はその反射光を受光することによって画像信号を生成する。このとき、ランプ１３２およびランプ電源１３３は筐体１１のフレーム部材１１１の下部に位置する。フレーム部材１１１はアルミニウム製であり、熱伝導性に優れているため、ランプ１３２およびランプ電源１３３において生じた熱を効率的に外部に放散させることが可能である。【選択図】図２
2007311897.tif 000002
【特許請求の範囲】
【請求項１】
光を透過する水平な透過領域を有する透過部材と、
前記透過部材の外枠を構成するフレーム部材と、
原稿が前記透過部材の透過領域と所定の位置において対向するように当該原稿を搬送する原稿搬送手段と、
前記原稿搬送手段により前記所定の位置に搬送された原稿に光を照射する照射手段と、
前記照射手段により原稿に照射された光のうち当該原稿において反射した反射光を感知し、当該反射光の強度を表す画像信号を生成する信号生成手段と
を備え、
前記照射手段は、前記所定の位置に光を照射するときに、当該照射手段の少なくとも一部が前記フレーム部材を鉛直方向から正射影した領域に含まれるように位置する
ことを特徴とする画像読取装置。
【請求項２】
前記照射手段は、
前記所定の位置に光を照射するときに、前記透過部材の透過領域を鉛直方向から正射影した領域に当該照射手段が含まれないように位置する
ことを特徴とする請求項１に記載の画像読取装置。
【請求項３】
前記照射手段は、
前記所定の位置に光を照射するときに、前記フレーム部材を鉛直方向から正射影した領域に当該照射手段の全体が含まれるように位置する
ことを特徴とする請求項１に記載の画像読取装置。
【請求項４】
前記フレーム部材は、前記透過部材を保持し、
前記原稿搬送手段は、前記原稿を前記フレーム部材に接触させつつ搬送する
ことを特徴とする請求項１に記載の画像読取装置。
【請求項５】
前記フレーム部材を冷却する冷却手段を備えることを特徴とする請求項１に記載の画像読取装置。
【請求項６】
前記照射手段は、
光を照射する発光部と、
前記発光部が光を照射するためのエネルギーを供給する電源部とを備え、
前記所定の位置に光を照射するときに、前記発光部および前記電源部が前記フレーム部材を鉛直方向から正射影した領域に含まれるように位置する
ことを特徴とする請求項１に記載の画像読取装置。
【請求項７】
前記透過部材が四辺形であって、
前記発光部は、その長手方向が前記透過部材のいずれかの一辺と平行になるように配置され、
前記電源部は、前記発光部の長手方向両端のいずれか一方または両方に配置される
ことを特徴とする請求項６に記載の画像読取装置。
【請求項８】
請求項１ないし７のいずれかに記載の画像読取装置と、
前記信号生成手段により生成された画像信号に基づいて、前記原稿を表す画像をシートに形成する画像形成手段と
を備えることを特徴とする画像形成装置。
【発明の詳細な説明】
【技術分野】
【０００１】
本発明は、画像読取装置および画像形成装置に関する。
【背景技術】
【０００２】
スキャナ等の画像読取装置においては、ランプやその駆動部等が発熱源となって、内部の温度を上昇させる。そこで、画像読取装置内部を冷却させるためにファン等の送風機によって外部の空気を強制的に流通させることが行われているが、送風機を用いると紙粉等のゴミやほこりが進入したり、駆動音が騒音となるという不都合があった。そのため、従来より、送風機を用いない（ファンレス）で画像読取装置を放熱する取り組みがなされている。
【０００３】
画像読取装置をファンレスで放熱する構成としては、例えば、放熱用の孔部を設けるのが最も一般的である（例えば、特許文献１参照）。孔部を設けた場合には、送風機を設けた構成よりも騒音の抑制や消費電力の低減などが可能であり、一定の効果が認められる。しかしながら、放熱用の孔部を設けた場合であっても、この孔部よりも小さいゴミやほこりは依然として進入が容易であり、これを妨げることは困難であった。このようなゴミやほこりは、画像読取装置のプラテンガラスやレンズ等の部材に付着した場合に、画質を低下させるという問題がある。加えて、内部に進入したゴミやほこりは、これらを除去する作業に手間がかかるだけでなく、そのままにしておくと回路部でショートを起こし、故障を誘発するおそれもある。
【特許文献１】実開平３−６６２６３号公報
【発明の開示】
【発明が解決しようとする課題】
【０００４】
そこで、本発明は、画像読取装置において、従来とは異なる方法で放熱を行う技術を提供することを目的とする。
【課題を解決するための手段】
【０００５】
上述の目的を達成するために、本発明に係る画像読取装置は、光を透過する水平な透過領域を有する平面状の透過部材と、前記透過部材の外枠を構成するフレーム部材と、原稿が前記透過部材の透過領域と所定の位置において対向するように当該原稿を搬送する原稿搬送手段と、前記原稿搬送手段により前記所定の位置に搬送された原稿に光を照射する照射手段と、前記照射手段により原稿に照射された光のうち当該原稿において反射した反射光を感知し、当該反射光の強度を表す画像信号を生成する信号生成手段とを備え、前記照射手段は、前記所定の位置に光を照射するときに、当該照射手段の少なくとも一部が前記フレーム部材を鉛直方向から正射影した領域に含まれるように位置することを特徴とする。
【０００６】
また、この態様において、前記照射手段は、前記所定の位置に光を照射するときに、前記透過部材の透過領域を鉛直方向から正射影した領域に当該照射手段が含まれないように位置する構成であってもよい。
あるいは、前記照射手段は、前記所定の位置に光を照射するときに、前記フレーム部材を鉛直方向から正射影した領域に当該照射手段の全体が含まれるように位置する構成であってもよい。
【０００７】
また、本発明に係る画像読取装置は、前記フレーム部材が、前記透過部材を保持し、前記原稿搬送手段が、前記原稿を前記フレーム部材に接触させつつ搬送する構成であってもよい。また、前記フレーム部材を冷却する冷却手段を備える構成であってもよい。この冷却手段としては、例えば、ヒートシンクやヒートパイプが挙げられる。
【０００８】
また、本発明に係る画像読取装置は、前記照射手段が、光を照射する発光部と、前記発光部が光を照射するためのエネルギーを供給する電源部とを備え、前記所定の位置に光を照射するときに、前記発光部および前記電源部が前記フレーム部材を鉛直方向から正射影した領域に含まれるように位置する構成であってもよい。
この場合において、前記透過部材が四辺形であって、前記発光部は、その長手方向が前記透過部材のいずれかの一辺と平行になるように配置され、前記電源部は、前記発光部の長手方向両端のいずれか一方または両方に配置される構成であってもよい。
【０００９】
なお、本発明は、画像読取装置のみならず、画像形成装置としても特定され得るものである。本発明に係る画像形成装置は、例えば、上述の画像読取装置のいずれかと、前記信号生成手段により生成された画像信号に基づいて、前記原稿を表す画像をシートに形成する画像形成手段とを備えるものである。
【発明の効果】
【００１０】
以上のような本発明により、画像読取装置において、従来とは異なる方法で放熱を行うことが可能となる。
【発明を実施するための最良の形態】
【００１１】
以下、本発明の実施の形態について図面を参照しつつ説明する。以下に示す実施形態においては、本発明に係る画像読取装置の一態様として、画像読取装置を備えた画像形成装置（複写機）を例示して説明する。
【００１２】
［構成］
図１は、本発明の一実施形態である画像形成装置１の外観を示す図である。画像形成装置１の構成は、画像読取部１０と、画像形成部２０と、操作部３０と、後述する制御部４０とに大別される。画像読取部１０はいわゆるスキャナの機能を有しており、原稿を光学的に読み取って原稿を表す画像信号を生成する。画像形成部２０はいわゆるプリンタの機能を有しており、上述の画像読取部１０により生成された画像信号が表す画像を用紙等のシート状物に形成する。画像形成部２０としては、例えば電子写真方式のプリンタを用いるのが好適である。操作部３０は、ユーザに各種情報を通知したりユーザから指示を受け付けたりするためのインタフェースであり、タッチパネルや各種のボタンを備える。なお、以下においては、図中のＸ方向に垂直な２つの側面のうち、操作部３０が設けられている側の面を「前面」といい、この前面と対向する側の面を「背面」という。
【００１３】
画像読取部１０の構成を前面側から示すと、図２のようになっている。同図においては、用紙の搬送経路を破線で示し、光の経路を一点鎖線で示している。画像読取部１０は、筐体１１と、プラテン１２と、フルレートキャリッジ１３と、ハーフレートキャリッジ１４と、結像部１５と、撮像部１６と、原稿搬送部１７とを備える。なお、以下においては、図１に示した矢印Ｘの方向を「主走査方向」といい、主走査方向に直交する方向、すなわち図２に示した矢印Ｙの方向を「副走査方向」という。
【００１４】
筐体１１は、フルレートキャリッジ１３、ハーフレートキャリッジ１４、結像部１５および撮像部１６をその内部に収容するものであり、複数のフレーム部材１１１、１１２および１１３により構成される。フレーム部材１１１、１１２および１１３は、それぞれ、筐体１１の上面、側面および底面（下面）を構成する。フレーム部材１１１には、プラテン１２の各部材を嵌め込むための開口部が設けられている。なお、フレーム部材１１１の材料はアルミニウムである。
【００１５】
プラテン１２は、プラテンガラス１２１および１２３と、誘導部材１２２とを備える。プラテンガラス１２１および１２３は、ガラス等の光を透過する材質の板状部材であり、その表面は水平である。プラテンガラス１２１は主走査方向について原稿と同程度のサイズ（幅）を有しており、プラテンガラス１２３は主走査方向および副走査方向について原稿と同程度のサイズ（幅および長さ）を有している。プラテンガラス１２１および１２３は、各辺が主走査方向または副走査方向と平行な四辺形である。誘導部材１２２はプラテンガラス１２１の水平面に対して所定の角度をなす傾斜面を有しており、原稿の進行方向をこの傾斜面に沿って変化させて後述する排紙トレイ１７３へと誘導する。なお、誘導部材１２２は、プラテンガラス１２３に原稿を載置する場合において、原稿の位置決め部材としての機能も有している。
【００１６】
フルレートキャリッジ１３は、保持部材１３１と、ランプ１３２と、ランプ電源１３３と、リフレクタ１３４と、ミラー１３５とを備える。保持部材１３１はランプ１３２、ランプ電源１３３、リフレクタ１３４およびミラー１３５を収容する箱型の部材であり、これらの各部材を保持する。ランプ１３２は、原稿およびリフレクタ１３４に対して光を照射する光源である。ランプ１３２としては、例えばキセノン蛍光ランプを用いることができる。ランプ電源１３３は、ランプ１３２を発光させるための駆動回路であり、トランスやレギュレータ等を含んでいる。トランスやレギュレータは、ランプ１３２を発光させるときに熱を生じる。リフレクタ１３４は平面上または放物線状の集光面を有する反射板であり、ランプ１３２により照射される照射光を原稿の読み取り位置に集光する。ミラー１３５は光を反射する反射面を有し、ランプ１３２より照射された光のうちの原稿において反射した反射光をさらに反射させ、ハーフレートキャリッジ１４へと導く。なお、ランプ１３２、リフレクタ１３４およびミラー１３５は、主走査方向についてプラテンガラス１２１および１２３とほぼ同程度の幅を有している。
【００１７】
ここで図３は、フルレートキャリッジ１３のランプ１３２およびランプ電源１３３を上面から示す図である。同図に示すように、ランプ１３２は主走査方向に平行になるように配置されており、プラテンガラス１２１の一辺とほぼ平行である。ランプ電源１３３は、ランプ１３２の両端に位置する回路部１３３Ｌおよび１３３Ｒからなり、これらは図示せぬ導線により接続されている。
【００１８】
ランプ１３２、回路部１３３Ｌおよび１３３Ｒは、図２および図３に示す位置にあるとき、すなわち、プラテンガラス１２１に向けて光を照射するときには、上面から見るとフレーム部材１１１の下に隠れるようになっている。つまり、このときランプ１３２、回路部１３３Ｌおよび１３３Ｒは、その全体がフレーム部材１１１を鉛直方向に正射影した領域に含まれるようになっている。また、ランプ１３２、回路部１３３Ｌおよび１３３Ｒは、その全体がプラテンガラス１２１の透過領域を鉛直方向に正射影した領域に含まれないようになっている。なお、ここにおいて「透過領域」とは、プラテンガラス１２１のうちランプ１３２からの光を上部に透過可能な領域のことであり、具体的には、プラテンガラス１２１のうちフレーム部材１１１や誘導部材１２２により遮蔽されない（すなわち、これらの部材と重ならない）領域のことである。
【００１９】
ここで、図２に示す構成の説明に戻る。ハーフレートキャリッジ１４は保持部材１４１とミラー１４２、１４３とを備え、フルレートキャリッジ１３からの反射光をさらに反射させて結像部１５へと導く。保持部材１４１はミラー１４２および１４３を保持する箱型の部材である。なお、ミラー１４２および１４３は、ミラー１３５と同様の反射面を有する部材であり、主走査方向についてプラテンガラス１２１および１２３とほぼ同程度の幅を有する。
【００２０】
フルレートキャリッジ１３およびハーフレートキャリッジ１４は、図示せぬ駆動部（モータ等）により副走査方向に往復移動される。フルレートキャリッジ１３は所定の速度で副走査方向に移動され、ハーフレートキャリッジ１４はフルレートキャリッジ１３の約半分の速度で副走査方向に移動される。
【００２１】
結像部１５は１または複数のレンズ部材からなり、フルレートキャリッジ１３およびハーフレートキャリッジ１４により反射された原稿からの反射光を撮像部１６がある位置に結像させる。撮像部１６は主走査方向に配置された複数の撮像素子からなるラインセンサであり、結像部１５により結像された反射光を感知し、感知した反射光の強度を表す画像信号を生成する。撮像部１６を構成する撮像素子としては、例えばＣＣＤ（Charge Coupled Device）やＣＭＯＳ（Complementary Metal Oxide Semiconductor）を用いたものが好適である。
【００２２】
原稿搬送部１７は、給紙トレイ１７１と、複数の搬送ロール１７２と、排紙トレイ１７３とを備える。給紙トレイ１７１は読み取り対象となる複数枚の原稿を収容可能に構成されている。搬送ロール１７２は主走査方向に原稿と同程度の幅を有するロール部材であり、図示せぬ駆動部（モータ等）により回転されて原稿を図中の矢印Ａの方向に１枚ずつ搬送する。搬送ロール１７２により搬送される原稿は、図中の点Ｓ2が示す位置においてプラテンガラス１２１と接し、プラテンガラス１２１および誘導部材１２２により進行方向を変化させられて排紙トレイ１７３へと移動する。排紙トレイ１７３は複数枚の原稿を収容可能に構成されており、読み取りが行われた原稿を収容する。なお、原稿搬送部１７は、プラテン１２の上面を覆うカバー部材としても機能しており、外光を遮断して読み取り対象である原稿の読み取りを容易にしている。
【００２３】
画像形成装置１の各部は、制御部４０によってその動作を制御されている。すなわち、画像形成装置１の構成をブロック図で示すと、図４のようになる。制御部４０は、ＣＰＵ（Central Processing Unit）４１、ＲＯＭ（Read Only Memory）４２およびＲＡＭ（Random Access Memory）４３等を備える。制御部４０においては、ＣＰＵ４１がＲＡＭ４３をワークエリアとして用いてＲＯＭ４２に記憶されたプログラムを実行し、各部の動作を制御する。また、制御部４０は画像読取部１０において生成された画像信号を取得し、これを画像形成部２０が解釈可能な形式の画像データに変換して画像形成部２０に供給する。
【００２４】
［動作］
以上の構成のもと、画像形成装置１は、ユーザからの指示に応じて原稿を光学的に読み取って画像信号を生成し、この画像信号に応じた画像を用紙に形成することで原稿の複写物を生成する。この画像形成装置１には、原稿のセット（載置）の仕方に応じた２種類の読取モードがある。第１のモードは、ユーザが原稿をプラテンガラス１２３の上にセットしたときに実行されるモードであり、読み取り対象である原稿が１枚のみである場合に特に好適な読取モードである。そして、第２のモードは、ユーザが原稿搬送部１７に原稿をセットしたときに実行されるモードであり、読み取り対象である原稿が複数枚である場合に特に好適な読取モードである。
【００２５】
第１のモードで動作する場合、画像形成装置１の制御部４０は、原稿を移動させずに、フルレートキャリッジ１３（およびハーフレートキャリッジ１４）を移動させて走査（読み取り）を行う。第１のモードで動作する場合、走査を開始する位置は、誘導部材１２２の端部である。つまり、このときのフルレートキャリッジ１３およびハーフレートキャリッジ１４を示すと、図５のようになる。そのため、ユーザは、誘導部材１２２の端部（すなわち、同図において点Ｓ1で示した位置）にあてがうようにして原稿を載置する。その後、制御部４０は、フルレートキャリッジ１３（およびハーフレートキャリッジ１４）を副走査方向に移動させて走査を行う。つまり、このとき読み取り位置（光が照射される位置）は連続的に変化する。
【００２６】
一方、第２のモードで動作する場合には、画像形成装置１の制御部４０は、フルレートキャリッジ１３（およびハーフレートキャリッジ１４）を図２に示す位置で保持したまま、原稿搬送部１７により原稿を１枚ずつ搬送させて走査を行う。つまり、第２のモードで動作する場合、読み取り位置は図２において点Ｓ2で示した位置のまま変化しない。
【００２７】
画像形成装置１が走査を行うとき、フルレートキャリッジ１３においては、ランプ１３２やランプ電源１３３が熱を発するため、その温度が上昇する。そのため、ランプ１３２を安定的に駆動させるためには、フルレートキャリッジ１３を適宜冷却する必要がある。ここで、第１のモードにおいては、フルレートキャリッジ１３自体が移動しながら走査を行うため、この移動に伴って熱も放散する。それゆえ、第１のモードにおいては、ランプ１３２やランプ電源１３３の温度が過昇するおそれが比較的少ない。
【００２８】
一方、第２のモードにおいては、フルレートキャリッジ１３は移動せずに保持されているので、第１のモードの場合よりもフルレートキャリッジ１３の温度が上昇しやすくなる。そのため、第２のモードにおいては、フルレートキャリッジ１３やその近傍の部材および空気が比較的短時間で高温となる。そして、高温となった空気は、上方へと移動する。
【００２９】
第２のモードにおいては、フルレートキャリッジ１３は図２に示す位置において保持されるため、その上部にはフレーム部材１１１が存在する。フレーム部材１１１はアルミニウムであるため、プラテンガラス１２１、１２３よりもはるかに熱伝導性が高く、放熱性に優れている。そのため、フルレートキャリッジ１３内部において生じた熱は、フレーム部材１１１へと容易に伝わり、やがて他のフレーム部材１１２、１１３や外部へと放散する。これにより、フルレートキャリッジ１３においては効果的に放熱が行われ、温度の過昇が抑制される。
【００３０】
このように、本実施形態においては、画像形成装置１が、フルレートキャリッジ１３を移動させずに原稿を移動させて走査を行う第２のモードで動作する場合において、フルレートキャリッジ１３はフレーム部材１１１の下部に位置するので、フルレートキャリッジ１３において生じる熱を筐体１１へと効果的に放散させるように構成されている。そのため、本実施形態によれば、フルレートキャリッジ１３およびその近傍の温度が上昇しやすい使用条件においても、温度の過昇を抑制することが可能となる。
【００３１】
［変形例］
以上においては、一の好適な実施形態を例示して本発明を説明したが、本発明は上述した実施形態に限定されるものではなく、その他の種々の態様にて実施することも可能である。本発明においては、例えば、上述した実施形態に対して以下のような変形を適用することができる。なお、これらの変形は、各々を適宜に組み合わせることも可能である。
【００３２】
上述の実施形態においては、放熱のためのフレーム部材１１１は、プラテン１２の周囲を取り囲む形状であったが、放熱するための部材の形状はこの限りではない。例えば、図６に示すような、プラテンガラス１２１を保持する保持部材１８を放熱するための部材としてもよい。保持部材１８は、プラテンガラス１２１を保持するための溝を有しており、ネジ等により筐体１１に取り付けられる。なお、保持部材１８は、アルミニウム等の熱伝導性の高い物質からなることが望ましい。
【００３３】
このような保持部材１８を設けることにより、プラテンガラス１２１の取り外しが容易となる。そのため、画像形成装置１の内部にゴミやほこりが進入した場合に、これを除去することが容易となる。また、上述の第２のモードで読み取りを行う場合に、原稿がこの保持部材１８に接触してから読み取り位置に搬送されるように構成すると、保持部材１８の熱を原稿に逃がすことも可能となる。
【００３４】
また、より放熱効果を高めるためには、上述のフレーム部材１１１や保持部材１８を冷却する手段を設けることも有効である。これらの部材を冷却する手段としては、例えば、ヒートシンクやヒートパイプを用いるとよい。ここで図７は、保持部材１８の下面にヒートシンク１８１を設ける場合の例を示す図である。このようにすれば、保持部材１８はヒートシンク１８１の部分でより多くの空気と接触することができるので、放熱を促進することが可能となる。
【００３５】
なお、このヒートシンク１８１は、画像形成装置１の背面側に位置するように構成されるのが望ましい。このようにすれば、ユーザが走査を行うときの邪魔にならない。また、このヒートシンク１８１を設ける場合、この部分が筐体１１から張り出すような構造としてもよい。これは、例えば、保持部材１８全体の幅が筐体１１の幅よりも長くなるように構成するものである。このようにすれば、さらに放熱を促進することができる。
【００３６】
また、上述の実施形態においては、フレーム部材１１１をアルミニウム製であるとしたが、もちろん、アルミニウム以外の材料を用いてもよい。この場合、もちろん、熱伝導性の高い物質であることが望ましい。なお、フレーム部材１１１と接触する部材（例えばフレーム部材１１２）を熱伝導性の高い物質を材料とすることにより、放熱効果をより高めることが可能となる。
【００３７】
また、上述の実施形態においては、ランプ電源１３３をランプ１３２の両端に分割して配置した。この構成においては、発熱が顕著である部分、すなわちトランスやレギュレータ等の発熱部を、画像形成装置１の背面側である回路部１３３Ｒに設けるのが望ましい。もちろん、熱が均等に放散するように、トランスを前面側である回路部１３３Ｌに設け、レギュレータを背面側である回路部１３３Ｒに設けるような構成としてもよい。
【００３８】
また、ランプ電源１３３をランプ１３２の両端に分割して配置せずに、ランプ電源１３３をランプ１３２の一端に配置してもよい。あるいは、ランプ電源１３３をランプ１３２の下部に配置してもよい。要するに、フレーム部材１１１の下部に位置するような構成とすれば、その具体的な位置は問わない。なお、ランプ電源１３３をフレーム部材１１１の下部に設けるのは、トランスやレギュレータ等の発熱部において生じる熱をフレーム部材１１１に伝えるためである。つまり、逆に言えば、発熱部以外の部分については、フレーム部材１１１の下部でなくともよい。
【００３９】
なお、各部材の配置に制約があるような場合などには、ランプ１３２やランプ電源１３３の全てがフレーム部材１１１の下部に位置していなくてもよい。本発明においては、ランプ１３２やランプ電源１３３の主たる部分がフレーム部材１１１の下部に位置していれば、一定の放熱効果を奏することができるからである。
【００４０】
また、上述の実施形態においては、走査を開始するときのフルレートキャリッジ１３の位置は第１のモードと第２のモードとで異なっていたが、同一の位置であってもよい。また、画像読取部１０は２つのキャリッジ（フルレートキャリッジ１３およびハーフレートキャリッジ１４）を備える構成であったが、キャリッジは１つであってもよい。さらに、上述の第２のモードのみを備える構成、すなわち、フルレートキャリッジ１３およびハーフレートキャリッジ１４に相当する各部材の位置が固定されており、搬送されてくる原稿を同一の位置で読み取る構成であってもよい。
【００４１】
また、上述の実施形態は、本発明を複写機に適用した場合の例であるが、本発明はもちろん、複写機以外の画像形成装置（例えば、ファクシミリ装置）にも適用することが可能である。また、本発明は、画像形成装置に限らず、スキャナ等の画像読取装置においても適用することが可能である。
【図面の簡単な説明】
【００４２】
【図１】本発明の一実施形態である画像形成装置の外観を示す図である。
【図２】同実施形態の画像形成装置における画像読取部の構成を示す図である。
【図３】同実施形態のフルレートキャリッジを上面から示す図である。
【図４】同実施形態の画像形成装置の構成を示すブロック図である。
【図５】同実施形態の画像形成装置における画像読取部の構成を示す図である。
【図６】同実施形態の画像形成装置の変形例を示す図である。
【図７】同実施形態の画像形成装置の変形例を示す図である。
【符号の説明】
【００４３】
１…画像形成装置、１０…画像読取部、１１…筐体、１１１、１１２、１１３…フレーム部材、１２…プラテン、１２１…プラテンガラス、１２２…誘導部材、１２３…プラテンガラス、１３…フルレートキャリッジ、１３１…保持部材、１３２…ランプ、１３３…ランプ電源、１３３Ｌ、１３３Ｒ…回路部、１３４…リフレクタ、１３５…ミラー、１４…ハーフレートキャリッジ、１４１…保持部材、１４２、１４３…ミラー、１５…結像部、１６…撮像部、１７…原稿搬送部、１８…保持部材、１８１…ヒートシンク、２０…画像形成部、３０…操作部、４０…制御部
【図１】
2007311897.tif 000003
【図２】
2007311897.tif 000004
【図３】
2007311897.tif 000005
【図４】
2007311897.tif 000006
【図５】
2007311897.tif 000007
【図６】
2007311897.tif 000008
【図７】
2007311897.tif 000009